(57)【要約】【課題】ピット内に設置する制御装置をピット内浸水時に自動的に引上げる。【解決手段】ピット４内に制御装置１を設置したエレベータにおいて、乗りかご２又はつり合いおもり７に可動式吊り部材１１、制御装置側に当該吊り部材と噛み合う固定式の被吊り部材３が設け、常時は吊り部材を回動可能な固定支持部材１３で固定支持する。この状態において、ピット内に設置される浸水感知器１９がピット内の浸水を感知すると、引上げ処理装置２０は、浸水感知器から浸水感知信号を受けて、巻上げ機５を駆動し、乗りかご２を所定の階に着床し、乗客を降ろす。しかる後、固定支持部材を所定方向に回動させて可動式の吊り部材の固定支持を解除し、巻上げ機の駆動により所定よる前記乗りかご又は前記つり合いおもりの昇降を利用し、前記吊り部材を可動式吊り部材を被吊り部材に噛み合わせて制御装置を引上げるエレベータ制御装置引上げ装置である。【選択図】    図１
2004244184.tif 000002
【特許請求の範囲】
【請求項１】
昇降路内に設置される巻上装置に掛け渡されたメインロープの一端側に乗りかご、他端側につり合いおもりが吊下げられ、かつ、エレベータピット内に制御装置が設置されたエレベータにおいて、
前記乗りかご又は前記つり合いおもりに少なくとも１つの吊り部材、前記制御装置側に当該吊り部材と噛み合う少なくとも１つの被吊り部材が設けられ、これら吊り部材及び被吊り部材の何れか一方を可動式、他方を固定式とした吊上げ機構と、
前記可動式の吊り部材又は被吊り部材を固定支持する回動可能な固定支持部材と
前記ピット内の浸水を感知する浸水感知器と、
前記浸水感知器からピット内浸水感知信号を受けた場合、前記固定支持部材を所定方向に回動させて前記可動式の吊り部材又は被吊り部材の固定支持を解除するとともに、前記巻上装置の駆動による前記乗りかご又は前記つり合いおもりの昇降を利用し、前記吊り部材を前記被吊り部材に噛み合わせて前記制御装置を引上げる引上げ処理制御手段と
を備えたことを特徴とするエレベータ制御装置引上げ装置。
【請求項２】
請求項１に記載のエレベータ制御装置引上げ装置において、
前記引上げ処理制御手段は、前記浸水感知器からピット内浸水感知信号を受けた場合、前記巻上装置を駆動し前記乗りかごをサービス階に着床させ、乗客の下車を催促する手段と、この乗客の下車によるドア閉を確認し、前記固定支持部材を所定方向に回動させて前記可動式の吊り部材又は被吊り部材の固定支持を解除するとともに、前記巻上装置の駆動によって前記乗りかご又は前記つり合いおもりに設けた前記吊り部材を前記被吊り部材よりも下位に下降させる手段と、この吊り部材の下降後に前記巻上装置の駆動により前記乗りかご又は前記つり合いおもりを上昇させて前記吊り部材を前記被吊り部材に噛み合わせて前記制御装置を所定の高さ位置まで引上げる手段とを設けたことを特徴とするエレベータ制御装置引上げ装置。
【請求項３】
昇降路内に設置される巻上装置に掛け渡されたメインロープの一端側に乗りかご、他端側につり合いおもりが吊下げられ、かつ、エレベータピット内に制御装置が設置されたエレベータにおいて、
前記乗りかご又は前記つり合いおもりに設けられた少なくとも１つの可動式吊り部材及び前記制御装置側に当該吊り部材と噛み合うように設けられた少なくとも１つの可動式被吊り部材と、
前記可動式の吊り部材及び被吊り部材をそれぞれ固定支持する回動可能な固定支持部材と
前記ピット内の浸水を感知する浸水感知器と、
前記浸水感知器からピット内浸水感知信号を受けた場合、前記各固定支持部材を所定方向に回動させて前記可動式の吊り部材及び被吊り部材の固定支持を解除するとともに、前記巻上装置の駆動による前記乗りかご又は前記つり合いおもりの昇降を利用し、前記吊り部材を前記被吊り部材に噛み合わせて前記制御装置を引上げる引上げ処理制御手段と
を備えたことを特徴とするエレベータ制御装置引上げ装置。
【請求項４】
請求項１又は請求項３に記載のエレベータ制御装置引上げ装置において、
前記ピット内から昇降路内の最下階着床位置よりも高い位置にわたってそれぞれ所要の高さ位置に引っ掛け部が設けられた固定パネルと、
前記制御装置の背面側に取り付けられ、常時はピット内の所要の高さ位置の前記引っ掛け部に引っ掛けて前記制御装置を吊下げてなる可動式の吊下げ部材とを有し、
また、前記引上げ処理制御手段は、前記浸水感知器からピット内浸水感知信号を受けた場合、前記吊り部材を前記被吊り部材に噛み合わせて前記制御装置を所定高さ位置よりもさらに高い所定位置まで引上げ後、前記巻上装置を介して可動式の吊下げ部材を前記所定高さ位置まで下降させて前記固定パネルの引っ掛け部に前記制御装置を引っ掛けて吊下げることを特徴とするエレベータ制御装置引上げ装置。
【請求項５】
請求項４に記載のエレベータ制御装置引上げ装置において、
前記引上げ処理制御手段は、前記浸水感知器からピット内浸水感知信号を受けた場合、前記巻上装置を駆動し前記乗りかごをサービス階に着床させ、乗客の下車を催促する手段と、この乗客の下車によるごドア閉を確認し、前記固定支持部材を所定方向に回動させて前記可動式の吊り部材又は被吊り部材の固定支持を解除するとともに、前記巻上装置の駆動によって前記乗りかご又は前記つり合いおもりに設けた前記吊り部材を前記被吊り部材よりも下位に下降させる手段と、この吊り部材の下降後に前記巻上装置の駆動により前記乗りかご又は前記つり合いおもりを上昇させて前記吊り部材を前記被吊り部材に噛み合わせて前記制御装置を所定の高さ位置よりもさらに高い所定位置まで引上げた後、前記巻上装置を介して可動式の吊下げ部材を前記所定高さ位置まで下降させて前記固定パネルの引っ掛け部に引っ掛けて前記制御装置を吊下げることを特徴とするエレベータ制御装置引上げ装置。
【請求項６】
昇降路内に設置される巻上装置に掛け渡されたメインロープの一端側に乗りかご、他端側につり合いおもりが吊下げられ、かつ、エレベータピット内の乗りかご又は前記つり合いおもりの下部に制御装置が設置されたエレベータにおいて、
前記乗りかご又は前記つり合いおもり設けられた可動式の吊り部材及び前記制御装置側に当該吊り部材と噛み合うように設けられた被吊り部材と、
前記可動式の吊り部材を固定支持する回動可能な固定支持部材と
前記ピット内の浸水を感知する浸水感知器と、
前記浸水感知器からピット内浸水感知信号を受けた場合、前記固定支持部材を所定方向に回動させて前記可動式の吊り部材の固定支持を解除するとともに、前記巻上装置の駆動による前記乗りかご又は前記つり合いおもりの昇降を利用し、前記吊り部材を前記被吊り部材に噛み合わせて前記制御装置を引上げる引上げ処理制御手段と
を備えたことを特徴とするエレベータ制御装置引上げ装置。
【請求項７】
昇降路内に設置される巻上装置に掛け渡された第１のロープの一端側に乗りかご、他端側につり合いおもりが吊下げられたエレベータにおいて、
前記巻上装置の回転軸又は当該巻上装置の回転に連動して回転するシーブに取り付けられた回転体に掛け渡され、一端側におもりを吊下げた第２のロープの他端側に吊り下げられた制御装置と、
常時は前記回転体に掛け渡されたロープの上端部を支持する回動可能な固定支持部材と
前記ピット内の浸水を感知する浸水感知器と、
前記浸水感知器からピット内浸水感知信号を受けた場合、前記固定支持部材を所定方向に回動させて前記ロープ上端部から離脱させて当該回転体にロープを掛け渡し、前記巻上装置の駆動による前記回転体の回転によって前記制御装置を引上げる引上げ処理制御手段と
を備えたことを特徴とするエレベータ制御装置引上げ装置。
【発明の詳細な説明】
【０００１】
【発明の属する技術分野】
本発明は、エレベータピット（ＰＩＴ）内が浸水されたときにエレベータ制御装置（以下、制御装置と呼ぶ）を引上げるエレベータ制御装置引上げ装置に関する。
【０００２】
【従来の技術】
従来のエレベータは、昇降路上部に機械室が設けられ、この機械室に巻上機及び当該巻上機を駆動する制御装置が設置されていたが、近年、これら巻上機および制御装置が昇降路内に設置され、機械室を無くしたマシンルームレスシステムが用いられている。
【０００３】
このマシンルームレスシステムは、理想的にはピット内に制御装置を設置することが望ましいが、雨水の進入によりピット内が浸水して重要な制御装置が故障することがあるので、ピット床への設置を避け、昇降路の最下階着床位置よりも高い位置に制御装置を設置するのが一般的である。
【０００４】
【発明が解決しようとする課題】
しかしながら、以上のように最下階着床位置よりも高い所定位置に制御装置を設置した場合、点検毎にピット床への制御装置の上げ下げを行う必要があり、或いはピット床から２ｍを越える高い所定位置の制御装置に対して所要の高さの点検台などを設置し、点検作業を行う必要がある。
【０００５】
その結果、前者のように制御装置をピット床に下ろす場合、定期点検や故障毎に制御装置を下ろす必要があるので、保守点検作業が非常に煩雑であること。また、定期点検毎に吊下げ機構を用意するとか、或いは専用の吊下げ機構を設置しなければならない。また、点検毎に制御装置を上げ下げすることから、制御装置に接続されている配線が自在に動かすことから強固に製造されている必要があり、価格的に高価なものとなる。
【０００６】
一方、後者の点検台を用いて点検作業を行う場合、高い点検台に上がって作業を進めなければならず、常に高所作業による危険が伴い、作業環境が悪く、作業能率の面でも問題がある。
【０００７】
本発明は上記事情に鑑みてなされたもので、ピット内に制御装置を設置し、点検台を必要とせずに点検作業を実施可能にし、かつ、ピット内の浸水時にエレベータ設備機器を流用して制御装置をピット内から引上げ可能とするエレベータ制御装置引上げ装置を提供することを目的とする。
【０００８】
【課題を解決するための手段】
（１）  上記課題を解決するために、本発明に係るエレベータ制御装置引上げ装置は、乗りかご又はつり合いおもりに少なくとも１つの吊り部材、ピット内に設置される制御装置側に当該吊り部材と噛み合う少なくとも１つの被吊り部材が設けられ、これら吊り部材及び被吊り部材の何れか一方を可動式、他方を固定式とした吊上げ機構と、前記可動式の吊り部材又は被吊り部材を固定支持する回動可能な固定支持部材と
前記ピット内の浸水を感知する浸水感知器と、前記浸水感知器からピット内浸水感知信号を受けた場合、前記固定支持部材を所定方向に回動させて前記可動式の吊り部材又は被吊り部材の固定支持を解除するとともに、前記巻上装置の駆動による前記乗りかご又は前記つり合いおもりの昇降を利用し、前記吊り部材を前記被吊り部材に噛み合わせて前記制御装置を引上げる引上げ処理制御手段とを設けた構成である。
【０００９】
本発明は以上のような構成とすることにより、常時は制御装置がピット内に設置されているので、点検毎にその設置状態で点検作業を行うことができ、ピット内の浸水を感知したとき、自動的に巻上装置を駆動し、乗りかご又はつり合いおもりに設けられた吊り部材を制御装置側の被吊り部材に噛み合わせて制御装置を引上げるので、既存のエレベータ機器を流用し、人手に頼ることなく自動的に制御装置を所要の高さまで引上げることができ、自身事故や制御装置の故障を未然に回避することが可能である。
【００１０】
なお、引上げ処理制御手段は、浸水感知器からピット内浸水感知信号を受けた場合、前記巻上装置を駆動し前記乗りかごをサービス階に着床させ、乗客の下車を催促する手段と、この乗客の下車によるドア閉を確認し、固定支持部材を所定方向に回動させて前記可動式の吊り部材又は被吊り部材の固定支持を解除するとともに、前記巻上装置の駆動によって乗りかご又はつり合いおもりに設けた前記吊り部材を前記被吊り部材よりも下位に下降させる手段と、この吊り部材の下降後に前記巻上装置の駆動により前記乗りかご又は前記つり合いおもりを上昇させて前記吊り部材を前記被吊り部材に噛み合わせて前記制御装置を所定の高さ位置まで引上げる手段とを設けた構成であるが、これら一連の引上げ処理制御は、浸水感知器からピット内浸水感知信号を受けた引上げ処理装置自身又は引上げ処理装置が前記制御装置と連携をとりながら実現することにより、殆ど既設のエレベータ設備機器を利用して制御装置を引上げることが可能となる。
【００１１】
また、乗りかご側又はつり合いおもり側及び制御装置側にそれぞれ可動式の吊り部材、被吊り部材を設けた場合でも同様に実現できる。この場合、常時は各可動式の吊り部材及び被吊り部材を乗りかご側又はつり合いおもり側及び制御装置側に収納し、浸水感知器によってピット内の浸水を感知し固定支持を解除したときに各可動式の吊り部材及び被吊り部材が飛び出るようにすれば、乗りかご又はつり合いおもりと制御装置との間隔を広く取ることができ、両者の接触などの危険を回避することが可能である。
【００１２】
（２）  以上のような構成に新たに、ピット内から昇降路内の最下階着床位置よりも高い位置にわたってそれぞれ所要の高さ位置に引っ掛け部が設けられた固定パネルと、制御装置の背面側に取り付けられ、常時はピット内の所要の高さ位置の前記引っ掛け部に引っ掛けて前記制御装置を吊下げてなる可動式の吊下げ部材とを設け、さらに前記引上げ処理制御手段としては、浸水感知器からピット内浸水感知信号を受けた場合、前記吊り部材を前記被吊り部材に噛み合わせて前記制御装置を所定高さ位置よりもさらに高い所定位置まで引上げ後、前記巻上装置を介して可動式の吊下げ部材を前記所定高さ位置まで下降させて前記固定パネルの引っ掛け部に前記制御装置を引っ掛けて吊下げるようにすれば、ピット内の浸水時に固定パネルの所定高さ位置の引っ掛け部に制御装置を自動的に引上げて吊下げることが可能である。
【００１３】
また、エレベータピット内の乗りかご又は前記つり合いおもりの下部に制御装置が設置された場合でも、前述する構成を利用として同様に実現できる。特に、昇降路が狭い場合に有効である。
【００１４】
さらに、巻上装置の回転軸又は当該巻上装置の回転に連動して回転するシーブに取り付けられた回転体に掛け渡された別のロープの上端部を支持する回動可能な固定支持部材を設け、ピット内浸水時に固定支持部材を所定方向に回動させて前記ロープ上端部から離脱させて当該回転体にロープを掛け渡し、巻上装置を介して回転体を回転させて制御装置を引上げることも可能である。
【００１５】
【発明の実施の形態】
以下、本発明の実施の形態について図面を参照して説明する。
【００１６】
図１は本発明に係るエレベータ制御装置引上げ装置の一実施の形態を示す構成図である。
【００１７】
同図において１はエレベータ乗りかご２を昇降制御する制御装置であって、この制御装置１は、装置正面上部側に固定式の被吊り部材３が取り付けられ、ピット４床部またはピット４内の点検可能な高さ位置に設置台（図示せず）または昇降路壁部等に引っ掛ける方式等によって設置されている。
【００１８】
また、昇降路内の適宜な個所にエレベータ駆動用巻上げ機（巻上装置）５が設けられ、この巻上げ機５に掛け渡されたメインロープ６の一端側につり合いおもり７、当該メインロープ６の他端側に乗りかご２が吊り下げられている。
【００１９】
この乗りかご２には後端側の支点を中心として回動可能な可動式吊り部材１１が取り付けられ、常時はばねなどの弾性部材１２により時計回り下方向に引張り力が加わるように設けられている。また、可動式吊り部材１１の上部側所要個所には当該可動式吊り部材１１先端部を引っ掛けて固定支持する回動可能な固定支持部材１３が取り付けられ、同様にばねなどの弾性部材１４により時計回り下方向に引張り力が加わるように設けられている。１５は固定支持部材１３による可動式吊り部材１１の固定支持の解除時に可動式吊り部材１１の位置を規制するストッパーである。
【００２０】
さらに、固定支持部材１３の先端上部側に電磁コイル１６が配置され、この電磁コイル１６は、リレー接点等のスイッチ１７を介して動力源１８に接続され、スイッチ１７のオン時に動力源１８から所要の電力を受け、固定支持部材１３を吸着することにより、可動式吊り部材１１の固定支持を解除する構成となっている。
【００２１】
さらに、制御装置１よりも低いピット４内の位置に浸水感知器１９が設置され、雨水の進入によってピット内が所定の高さ位置まで浸水された時、浸水感知器１９が雨水等による浸水状態を検知し、浸水感知信号を引上げ処理装置２０に送出する。この引上げ処理装置２０は、浸水感知器１９から浸水感知信号を受けたとき、エレベータ駆動用巻上げ機５を駆動するとともに、スイッチ１７をオン制御する機能をもっている。
【００２２】
なお、上記実施の形態を説明する図１は、つるべ式エレベータが用いられていることからつり合いおもり７が記載されているが、巻胴式エレベータであれば、つり合いおもり７が不要となる。
【００２３】
次に、以上のようなエレベータ制御装置引上げ装置の動作について説明する。
【００２４】
今、雨水の進入によってピット内の所定の高さ位置まで浸水した時、浸水感知器１９は、ピット内の浸水状態を検知して浸水感知信号を引上げ処理装置２０に送出する。この引上げ処理装置２０は、浸水感知器１９から浸水感知信号を受信すると、エレベータ駆動用巻上げ機５を駆動し、乗りかご２を所要とするサービス階，例えば１階まで移動させ、乗客を降ろした後、スイッチ１７をオン制御し、動力源１８から電力を電磁コイル１６に供給する。
【００２５】
ここで、電磁コイル１６が励磁されると、固定支持部材１３の先端部側を吸引し、可動式吊り部材１１の固定支持を解除する。その結果、可動式吊り部材１１は、弾性部材１４によって時計回り下方向に引張り力が加わっているので、時計方向に回転するが、ストッパー１５により所定位置で停止する。
【００２６】
この状態において、乗りかご２を下側方向に所定距離移動させていくと、可動式吊り部材１１の先端部が固定式被吊り部材３に衝突するが、もともと可動式吊り部材１１が弾性部材１２により引っ張られているだけであるので、可動式吊り部材１１は衝突と同時に反時計方向に回転し、固定式被吊り部材３を逃げながら通過する。つまり、可動式吊り部材１１は、弾性部材１２の弾性力を利用しつつ固定式の被吊り部材３を逃げながら通過することができる。さらに、可動式吊り部材１１が制御装置側固定式の被吊り部材３と接触しない下降位置までくると、弾性部材１２の引っ張り力によってストッパー１５の位置まで回転する。
【００２７】
ここで、引上げ処理装置２０は、可動式吊り部材１１が制御装置側被吊り部材３より下方位置に到達したことを確認すると、今度は乗りかご２を上昇させる。この乗りかご２が上昇すると、可動式吊り部材１１が制御装置側被吊り部材３に噛み合い、乗りかご２の上昇とともに制御装置１が引上げられ、乗りかご２の最下階着床位置２１よりも上方位置まで引上げることができる。
【００２８】
なお、上記実施の形態では、引上げ処理装置２０が巻上げ機５の駆動、浸水時における乗りかご２の下方位置到達を認識する例について説明したが、例えば図１の図示点線で示すように制御装置１と連携を取りながら制御する構成であってもよい。但し、この場合には、引上げ処理装置２０、制御装置１及び巻上げ機５は図示点線のように信号線２２，２３を接続する一方、引上げ処理装置２０と巻上げ機５とを結ぶ信号線２４は不要となる。
【００２９】
次に、本発明に係るエレベータ制御装置引上げ装置の一連の制御手順に関し、引上げ処理装置２０と制御装置１とが連携を取りながら制御する例について図２を参照して説明する。
【００３０】
先ず、引上げ処理装置２０は、ピット内が浸水状態にあるか否かを判断する。つまり、降雨等によりピット内が所要の高さまで浸水し、浸水感知器１９から浸水感知信号が入力されていれば、浸水状態にあると判断する（Ｓ１：浸水感知手段）。
【００３１】
引上げ処理装置２０は、浸水したと判断すると、制御装置１に浸水状態を通知する。制御装置１は、引上げ処理装置２０から浸水状態有りの通知を受けると、エレベータ駆動用巻上げ機５を駆動し、乗りかご２を所要とするサービス階，例えば１階に着床させ（Ｓ２）、表示灯の点灯、アナウンス或いはドア開後の照明消灯などにより乗客の下車を催促するために報知する（Ｓ３）。乗客を降ろした後（Ｓ４）、ドア閉を確認し（Ｓ５）、ドア閉確認信号を信号処理装置２０に送信する。これらＳ２〜Ｓ５は乗客降車手段に相当する。
【００３２】
引上げ処理装置２０は、ドア閉確認信号を受け取ると、オン制御信号を出力しスイッチ１７をオンし、動力源１８の電力を電磁コイル１６に供給する。ここで、電磁コイル１６が電力の供給を受けて励磁すると、前述するように固定支持部材１３の先端部を吸着し、可動式吊り部材１１の固定支持を解除すると、解除完了を制御装置１に通知する（Ｓ６：支持解除手段）。この制御装置１は、再度エレベータ駆動用巻上げ機５を駆動し、可動式吊り部材１１が制御装置側被吊り部材３と結合可能な位置まで下降させる（Ｓ７）。しかる後、可動式吊り部材１１が結合可能な予め定める位置まで下降したか否かを確認する（Ｓ８）。Ｓ７，Ｓ８は下降位置確認手段に相当する。
【００３３】
以上のようにして乗りかご２が所定の位置まで下降した後、制御装置１は、エレベータ駆動用巻上げ機５を所要とする低速度で駆動し、可動式吊り部材１１を制御装置側固定式被吊り部材３に噛み合わせた後、乗りかご２を上昇させ、制御装置１を最下階着床位置よりも高い所定位置まで引上げ後（Ｓ９：装置引上げ手段）、引上げ完了を確認し（Ｓ１０）、引上げ完了信号を引上げ処理装置２０に通知する。この引上げ処理装置２０は、引上げ完了信号を受けると、スイッチ１７をオフとし、動力源１８から供給されている電力を遮断する。
【００３４】
従って、以上のような実施の形態によれば、ピット内に設置される制御装置１に固定式被吊り部材３、乗りかご２側には常時は固定支持状態にある可動式吊り部材１１をそれぞれ設け、浸水感知器１９から浸水感知信号を受けたとき、巻上げ機５を下降させて乗客を降ろした後、電磁コイル１６を励磁し、固定支持部材１３を反時計方向に回動させて可動式吊り部材１１の固定支持状態を解除するとともに、当該可動式吊り部材１１を制御装置側被吊り部材３の下方位置まで下げて当該被吊り材３と結合させた後、制御装置１を所定高さ位置まで引上げるので、ピット内浸水時にエレベータ設備機器である巻上げ機５を利用して制御装置１を引上げることができ、また定期点検時には点検台を必要とせずにそのままの設置状態で制御装置１を用いて点検作業を実施できる。
【００３５】
なお、上記実施の形態では、乗りかご２側に可動式吊り部材１１、制御装置１側に固定式被吊り部材３を設けたが、乗りかご２側に固定式吊り部材、制御装置１側に可動式被吊り部材を設けた構成であってもよい。また、乗りかご２に取り付けられている可動式吊り部材１１をつり合いおもり６側に取り付け、当該つり合いおもり６側で制御装置１を引上げる構成であってもよい。
【００３６】
図３は本発明に係るエレベータ制御装置引上げ装置の他の実施の形態例を説明する構成図である。なお、同図において図１と同様な構成部分については同一の符号を付し、詳しくは図１の説明に譲る。
【００３７】
この実施の形態は、制御装置１自身の上下複数箇所または制御装置１上部に支持板２５を立設し、この制御装置１及び支持板２５を含んで上下複数箇所に固定式被吊り部材３ａ，３ｂを取り付け、一方、乗りかご２側にも同様な間隔を有して可動式吊り部材１１ａ，１１ｂ〜電磁コイル１６ａ，１６ｂを取り付け、ピット内の浸水時にスイッチ１７をオンし、動力源１８から電力を供給して複数の電磁コイル１６ａ，１６ｂを励磁することにより、固定支持部材１３ａ，１３ｂによる可動式吊り部材１１ａ，１１ｂの固定支持を解除し、複数の可動式吊り部材１１ａ，１１ｂを対応する制御装置側固定式被吊り部材３ａ，３ｂに結合し、制御装置１を所定高さ位置まで引上げる構成である。その他の構成及び機能は図１と同様であるので、ここではそれらの説明に省略し、図１の説明に譲る。
【００３８】
このような実施の形態によれば、図１，図２と同様な効果を奏する他、乗りかご２側の可動式吊り部材１１ａと１１ｂ、制御装置側の固定式被吊り部材３ａと３ｂとの間隔が同一であるので、上下個所の複数の可動式吊り部材１１ａ、１１ｂにはほぼ均等な荷重をかけることができ、比較的重量大の制御装置１でも安定した状態で引上げることができる。
【００３９】
図４は本発明に係るエレベータ制御装置引上げ装置の他の実施形態を示す構成図である。なお、同図において図１と同様な構成部分については同一の符号を付し、詳しくは図１の説明に譲る。
【００４０】
前述する実施の形態は、何れも乗りかご２側に可動式吊り部材１１，１１ａ，１１ｂを取り付け、制御装置１側には固定式被吊り部材３，３ａ，３ｂを取り付けたが、この実施の形態では、制御装置１側にも乗りかご２側と同様な可動式被吊り部材を含む一連の関連部材を取り付けた構成である。
【００４１】
すなわち、制御装置１側には、後端の支点を中心に回動可能な可動式被吊り部材３１が取り付けられ、常時はばねなどの弾性部材３２より時計回り上方向に引張り力が加わるように設けられている。また、可動式被吊り部材３１の下部側所定個所に当該可動式被吊り部材３１先端部を引っ掛けて固定支持する回動可能な固定支持部材３３が取り付けられ、同様にばねなどの弾性部材３４により時計回り上方向に引張り力が加わるように設けられている。３５は可動式被吊り部材３１の回動を規制するストッパーである。
【００４２】
さらに、固定支持部材３３の先端下部側に電磁コイル３６が配置され、この電磁コイル３６は、リレー接点等のスイッチ１７を介して動力源１８に接続されている。従って、引上げ処理装置２０がスイッチ１７をオンすると、動力源１８からの電力が電磁コイル１６だけでなく、電磁コイル３６にも同様に供給され、固定支持部材１３，３３の先端側を吸着し、可動式吊り部材１１及び可動式被吊り部材３１の固定支持を解除する構成となっている。
【００４３】
次に、以上のようなエレベータ制御装置引上げ装置の動作について説明する。
【００４４】
降雨などによってピット４内が所定の高さまで浸水すると、浸水感知器１９がピット内の浸水状態を感知し、浸水感知信号を引上げ処理装置２０に送出する。ここで、引上げ処理装置２０自身又は引上げ処理装置２０が制御装置１を経由して巻上げ機５を駆動し、図２と同様に乗りかご２をサービス階に移動ささせて乗客を降ろした後、引上げ処理装置２０は、オン制御信号を出力しスイッチ１７をオンし、動力源１８の電力を電磁コイル１６，３６に供給する。これら電磁コイル１６，３６は、電力の供給を受けて励磁すると、前述するように固定支持部材１３，３３の先端部を吸着し、可動式吊り部材１１，可動式被吊り部材３１の固定支持を解除する。引き続き、引上げ処理装置２０自身又は制御装置１を介して再度エレベータ駆動用巻上げ機５を駆動し、可動式吊り部材１１が制御装置側可動式被吊り部材３１と結合可能となる位置まで下降させる。ここで、可動式吊り部材１１が制御装置側可動式被吊り部材３１と結合可能な予め定める位置まで下降したことを確認すると、引上げ処理装置２０自身又は制御装置１は、エレベータ駆動用巻上げ機５を所要とする低速度で駆動し、可動式吊り部材１１を制御装置側可動式被吊り部材３１に噛み合わせた後、乗りかご２を上昇させ、制御装置１を最下階着床位置よりも少し高い所定の位置まで引上げ後（装置引上げ手段）、引上げ完了を確認する。引上げ処理装置２は、引上げ完了に基づいてスイッチ１７をオフとし、動力源１８からの電力を遮断する。
【００４５】
従って、以上のような実施の形態によれば、図１，図２と同様な効果を奏する他、通常、図１に示すように制御装置１正面側に常時固定式被吊り部材３を突出した状態の場合、乗りかご２と制御装置１との隙間を広くとる必要があるが、エレベータ設備全体の要請から乗りかご２と制御装置１との隙間を広くとれない場合に有効な手段となる。また、乗りかご２と制御装置１との隙間を広く取ることにより、接触などの危険性を未然に回避することができる。
【００４６】
なお、上記実施の形態では、乗りかご２及び制御装置１にそれぞれ１組の吊上げ機構を設けたが、図３と同様にそれぞれ２組の吊り機構を設けた構成であってもよい。また、乗りかご２に代えてつり合いおもり６側に可動式吊り部材１１を含む一連の吊上げ機構を設けた構成であってもよい。
【００４７】
図５は本発明に係るエレベータ制御装置引上げ装置のさらに他の実施形態を示す構成図である。なお、同図において図１と同様な構成部分については同一の符号を付し、詳しくは図１の説明に譲る。
【００４８】
この実施の形態は、ピットを含む昇降路内の所定高さ位置に制御装置１を吊下げる例を説明する構成図である。
【００４９】
具体的には、ピット４内から昇降路内の最下階着床位置よりも高い位置にわたってそれぞれ所要の高さ位置に引っ掛け部４１ａを設けた固定パネル４１が設けられている。この固定パネル４１とは、例えばピット４内から昇降路内の最下階着床位置よりも高い位置にわたって所要の間隔をもって例えば断面Ｔ型の支持部材または所要の間隔ごとに開口部を形成した１枚の長尺支持部材などによって構成されたものである。
【００５０】
一方、制御装置１の背面側の上下の所要個所にはそれぞれ後端の支点を中心に回動可能なＬ字状の可動式吊下げ部材４２が取り付けられ、常時はばねなどの弾性部材４３により反時計方向に引張り力が加わるように設けられている。４４は可動式吊下げ部材４２の反時計方向回りの位置規制を行うストッパーである。従って、可動式吊下げ部材４２は時計回り方向に自由に回動可能になっている。４５はピット内非浸水時の通常時の制御装置１の吊下げ位置、４６はピット内浸水時の制御装置１の吊下げ位置であり、これら位置４５，４６に合わせて固定パネル４１の引っ掛け部４１ａが位置決めされている。
【００５１】
図５（ａ）は、ピット内非浸水時の制御装置１の吊下げ状態を示す図であって、制御装置１背面側の上下個所に突出される可動式吊下げ部材４２が吊下げ位置４５及びその上側位置の固定パネル４１の引っ掛け部４１ａに引っ掛けられ、定期点検可能な高さに吊下げられて設置されている。
【００５２】
同図（ｂ）は、図５（ａ）に示す制御装置１の吊下げ状態において、降雨などによってピット４内が所定の高さまで浸水したとき、乗りかご２側の可動式吊り部材１１を制御装置１側の固定式被吊り部材３に結合させ、制御装置１を引上げている状態を示している。
【００５３】
この制御装置１の引上げ時、制御装置１背面側の可動式吊下げ部材４２先端が固定パネル４１の引っ掛け部４１ａに衝突するが、このとき弾性部材４３の弾性力に抗して時計方向に回動し、同図（ｂ）に示すように固定パネル４１の引っ掛け部４１ａに押された状態で逃げながら、固定パネル４１を通過する。
【００５４】
同図（ｃ）は、上部に位置する固定パネル４１の引っ掛け部４１ａを通過し、なおも制御装置１を引上げたとき、制御装置１背面側の可動式吊下げ部材４２が弾性部材４３によって反時計方向に引張り力が加わることから反時計方向に回り、ストッパー４４で規制される位置，つまり可動式吊下げ部材４２が水平方向を維持するように突出する。
【００５５】
同図（ｄ）は、同図（ｃ）の位置状態を確認した後、巻上げ機５を駆動し、乗りかご２を所要の距離だけ下げると、浸水時における定位置である吊下げ位置４６，制御装置１を例えば最下階着床位置よりも少し高い所定の位置まで引上げることができる。
【００５６】
次に、本発明に係るエレベータ制御装置引上げ装置の一連の制御手順に関し、引上げ処理装置２０と制御装置１とが連携を取りながら制御を行う例について図６を参照して説明する。
【００５７】
先ず、引上げ処理装置２０は、ピット内が浸水したか否かを判断する。つまり、降雨等によってピット内が所要の高さまで浸水したとき、浸水感知器１９から浸水感知信号が入力されていれば、浸水したと判断する（Ｓ１１：浸水感知手段）。
【００５８】
引上げ処理装置２０は、浸水したと判断すると、制御装置１に浸水状態を通知する。制御装置１は、引上げ処理装置２０から浸水状態有りの通知を受けると、巻上げ機５を駆動し、乗りかご２をサービス階に着床し（Ｓ１２）、表示灯の点灯、アナウンス或いは照明消灯などにより乗客降車を催促するために報知し（Ｓ１３）、乗客を降ろした後（Ｓ１４）、ドア閉を確認し（Ｓ１５）、ドア閉確認信号を引上げ処理装置２０に送信する。これらＳ１２〜Ｓ１５は乗客降車手段に相当する。
【００５９】
引上げ処理装置２０は、ドア閉確認信号を受け取ると、オン制御信号を出力しスイッチ１７をオンし、動力源１８の電力を電磁コイル１６に供給する。ここで、電磁コイル１６は、電力の供給を受けて励磁すると、前述するように固定支持部材１３を吸着し、可動式吊り部材１１の固定支持を解除し、制御装置１に通知する（Ｓ１６：支持解除手段）。この制御装置１は、再度巻上げ機５を駆動し、可動式吊り部材１１が制御装置側固定式被吊り部材３と結合可能な位置まで下降させる（Ｓ１７）。しかる後、可動式吊り部材１１が結合可能な予め定める位置まで下降したか否かを確認する（Ｓ１８）。Ｓ１７，Ｓ１８は下降位置確認手段に相当する。
【００６０】
引き続き、可動式吊り部材１１が所定の下降位置に達した後、制御装置１は、エレベータ駆動用巻上げ機５を所要とする低速度で駆動し、可動式吊り部材１１を制御装置側固定式被吊り部材３に噛み合わせた後、乗りかご２を上昇させていくが（Ｓ１９）、このとき乗りかご２が予め定める所定高さ位置，つまり吊下げ位置４６よりも高い所定位置まで上昇したか否かを判断し（Ｓ２０）、上昇したと判断したとき、巻上げ機５を駆動し、乗りかご２を徐々に下降させ（Ｓ２１）、浸水時の制御装置１の定位置まで移動したかを確認し（Ｓ２２）、制御装置１背面側の可動式吊下げ部材４２を固定パネル４１の引っ掛け部４１ａに引っ掛けることにより、制御装置１を所要とする高さまで引上げて吊下げることができる。これらＳ１９〜Ｓ２２は装置位置決め吊下げ手段に相当する。
【００６１】
従って、この実施の形態によれば、浸水が発生した場合に引上げ処理装置２０の指示のもとに巻上げ機５を駆動し、制御装置１を保守員が駆けつける等の労力を必要とせずに最下階着床よりも高い所定位置に自動的に引上げて固定パネル４１に吊下げることができる。また、制御装置１が固定パネル４１の上下２箇所に吊下げることから、地震等に対しても制御装置１が落下する恐れがなく、安全性を確保できる。
【００６２】
図７は本発明に係るエレベータ制御装置引上げ装置のさらに他の実施の形態を示す構成図である。なお、同図において図１と同様な構成部分については同一の符号を付し、詳しくは図１の説明に譲る。
【００６３】
この実施の形態は、乗りかご１の真下のピット内に設置されている制御装置１を引上げる構成例である。
【００６４】
具体的には、乗りかご２の底部側には胴部を支点として回動可能な可動式吊り部材１１ｃが取り付けられ、この可動式吊り部材１１ｃの後端部側にはばねなどの弾性部材１２ｃにより当該可動式吊り部材１１ｃの先端部側が時計回り下方向に引張り力が加わるように設けられている。
【００６５】
また、可動式吊り部材１１ｃの水平時、胴部を支点として可動式吊り部材１１ｃの先端部を引っ掛けて固定支持する回動可能な固定支持部材１３ｃが上下方向に延在するように取り付けられ、当該固定支持部材１３ｃの上部後端部側が電磁コイル１６と所定の距離を隔てて対峙するように配置されている。１５ｃはストッパーであって、電磁コイル１６の励磁によって固定支持部材１３ｃの上部後端部を吸着し、可動式吊り部材１１ｃの固定支持を解除したとき、弾性部材１２ｃにより当該可動式吊り部材１１ｃが時計方向に回ったとき、水平方向と直交する方向で位置規制する機能をもっている。
【００６６】
一方、乗りかご２真下の制御装置１の上部には、固定式の被吊り部材３ｃが取り付けられ、固定支持部材１３ｃによる可動式吊り部材１１ｃの固定支持解除時、当該可動式吊り部材１１ｃの先端部が結合する構成となっている。
【００６７】
以上のようなエレベータ制御装置引上げ装置の動作について説明する。
【００６８】
雨水の進入によってピット内が所定の高さ位置まで浸水した時、浸水感知器１９がピット内の浸水状態を検知して浸水感知信号を引上げ処理装置２０に送出する。この引上げ処理装置２０は、浸水感知器１９から浸水感知信号を受信すると、制御装置１に浸水状態を通知する。制御装置１は、引上げ処理装置２０から浸水状態有りの通知を受けると、巻上げ機５を駆動し、乗りかご２をサービス階に着床し、表示灯の点灯、アナウンス或いは照明消灯などにより乗客降車を催促するために報知し、乗客を降ろした後、ドア閉を確認し、ドア閉確認信号を引上げ処理装置２０に送信する。
【００６９】
この引上げ処理装置２０は、ドア閉確認信号を受け取ると、制御装置１を介して巻上げ機５を駆動し、乗りかご２側の可動式吊り部材１１ｃが制御装置１側の固定式被吊り部材３ｃに噛み合う位置まで下降させる。制御装置１は、乗りかご２が所定の下降位置に到達すると、到達完了信号を引上げ処理装置２０に通知する。
【００７０】
ここで、引上げ処理装置２０は、オン制御信号を出力しスイッチ１７をオンし、動力源１８の電力を電磁コイル１６に供給する。ここで、電磁コイル１６は、電力の供給を受けて励磁すると、前述するように固定支持部材１３ｃを吸着し、反時計方向に回すことにより、可動式吊り部材１１ｃの固定支持を解除する。この固定支持部材１３ｃによって固定支持が解除されると、弾性部材１２ｃの弾性力により当該可動式吊り部材１１ｃが時計方向に回転し、当該可動式吊り部材１１ｃの先端部が制御装置１の固定式の被吊り部材３ｃに噛み合うことになる。
【００７１】
以上のようにして可動式吊り部材１１ｃと制御装置１側固定式被吊り部材３ｃが結合すると、巻上げ機５を駆動し、乗りかご２を最下階着床位置よりも少し高い所定の位置まで引上げ後、引上げ完了を確認する。引上げ処理装置２０は、引上げ完了に基づいてスイッチ１７をオフとし、動力源１８からの電力を遮断する。
【００７２】
従って、以上のような実施の形態によれば、乗りかご２の投影面積上に制御装置１を設置することが可能であり、ひいては昇降路面積を有効に利用することができ、建物面積を有効に活用できる。
【００７３】
なお、上記実施の形態では、乗りかご２側に可動式吊り部材１１ｃを含む一連の吊上げ機構を設け、制御装置１側に固定式被吊り部材３ｃを設けたが、乗りかご２側に固定式吊り部材を設け、制御装置１側に可動式被吊り部材を含む一連の吊上げ機構を設けた構成でもよい。また、乗りかご２側及び制御装置１側とも可動式吊り部材及び被吊り部材を含む一連の吊上げ機構を設けた構成でもよい。
【００７４】
図８は本発明に係るエレベータ制御装置引上げ装置のさらに他の実施の形態を示す構成図である。なお、同図において図１と同様な構成部分については同一の符号を付し、詳しくは図１の説明に譲る。
【００７５】
このエレベータ制御装置引上げ装置は、巻上げ機５の同一軸５１にプーリ５２が取り付け、このプーリ５２に掛け渡されたロープ５３の一端側に制御装置１、他端側におもり５４が吊下げられている。また、プーリ５２の上側には、胴部を支点として回動可能なロープ吊り部材５５が配置され、常時は当該ロープ吊り部材５５先端部にてプーリ５２に掛け渡されているロープ５３が持ち上げられている。その結果、常時は、巻上げ機５の駆動力は制御装置１に伝達しないようになっている。さらに、ロープ吊り部材５５の上部後端側には所要の距離を隔てて電磁コイル１６が対峙され、この電磁コイル１６が励磁したとき、ロープ吊り部材５５の上部側を吸引し、当該ロープ吊り部材５５を時計方向に回すことにより、ロープ５３から離脱させ、ロープ５３をプーリ５２に掛け渡し、巻上げ機５の駆動力が制御装置１に伝達するような構成とする。
【００７６】
次に、以上のようなエレベータ制御装置引上げ装置の動作について説明する。
【００７７】
雨水の進入によってピット内が所定の高さ位置まで浸水した時、浸水感知器１９は、ピット内の浸水状態を検知して浸水感知信号を引上げ処理装置２０に送出する。この引上げ処理装置２０は、浸水感知器１９から浸水感知信号を受信すると、自身により、或いは制御装置１に浸水状態を通知する。引上げ処理装置２０自身又は制御装置１は、エレベータ駆動用巻上げ機５を駆動し、乗りかご２をサービス階に着床し、表示灯の点灯、アナウンス或いは照明消灯などにより乗客降車を催促するために報知し、乗客を降ろした後、ドア閉を確認し、ドア閉確認信号を引上げ処理装置２０に送信する。
【００７８】
引上げ処理装置２０は、ドア閉確認信号を受け取ると、オン制御信号を出力しスイッチ１７をオンし、動力源１８の電力を電磁コイル１６に供給する。ここで、電磁コイル１６は、電力の供給を受けて励磁すると、ロープ吊り部材５５の上端側を吸引し、当該ロープ吊り部材５５を時計方向に回す。その結果、ロープ吊り部材５５の下端部がロープ５３から離脱し、ロープ５３がプーリ５２に完全に掛け渡された状態となる。引上げ処理装置２０は、ロープ５３の離脱を確認すると、自身により、或いは制御装置１を介して巻上げ機５を駆動し、プーリ５２を介して制御装置１を所定高さ位置まで引上げる。
【００７９】
従って、この実施の形態によれば、図１と同様な効果を奏することができる。つまり、浸水時に自動的に制御装置１を所定高さ位置まで引上げることができ、専用の吊下げ機構を用いて点検毎に人為的に制御装置１を上げ下げする必要がなく、ピット浸水時だけ自動的に制御装置１を引き上げることができる。
【００８０】
なお、上記実施の形態では、巻上げ機５に軸５１を設けた例について述べたが、この巻上げ機５の回転に連動して回転するロープを支える他のシーブに軸を取り付け、この軸にプーリ５２を取り付け、ロープ５３を掛け渡すような構成であってもよい。
【００８１】
なお、本願発明は、上記実施の形態に限定されるものでなく、その要旨を逸脱しない範囲で種々変形して実施できる。
【００８２】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００８３】
【発明の効果】
以上説明したように本発明によれば、ピット内に制御装置を設置し、点検台を必要とせずに点検作業を実施でき、またピット内浸水時にエレベータ設備機器を流用して制御装置を所定の高さ位置まで自動的に引上げることができるエレベータ制御装置引上げ装置を提供できる。
【図面の簡単な説明】
【図１】本発明に係るエレベータ制御装置引上げ装置の一実施の形態を示す構成図。
【図２】図１に示すエレベータ制御装置引上げ装置の一連の制御手順に説明するフローチャート。
【図３】図１に示すエレベータ制御装置引上げ装置の一部を変更した構成図。
【図４】本発明に係るエレベータ制御装置引上げ装置の他の実施形態を示す構成図。
【図５】本発明に係るエレベータ制御装置引上げ装置のさらに他の実施形態を示す構成図。
【図６】図５に示すエレベータ制御装置引上げ装置の一連の制御手順に説明するフローチャート。
【図７】本発明に係るエレベータ制御装置引上げ装置のさらに他の実施形態を示す構成図。
【図８】本発明に係るエレベータ制御装置引上げ装置のさらに他の実施形態を示す構成図。
【符号の説明】
１…制御装置、２…乗りかご、３…被吊り部材、４…ピット、５…巻上げ機、６…メインロープ、７…つり合いおもり、１１，１１ａ，１１ｂ，１１ｃ、３１…可動式吊り部材、１３，１３ａ，１３ｂ，１３ｃ…固定支持部材、１５，１５ａ，１５ｂ、１５ｃ，４４…ストッパー、１６，１６ａ，１６ｂ，３６…電磁コイル、１７…スイッチ、１８…動力源、１９…浸水感知器、２０…引上げ処理装置、４１…固定パネル、４２…吊下げ部材、５１…軸、５２…プーリ、５３…ロープ、５５…ロープ吊り部材。
【図１】
2004244184.tif 000003
【図２】
2004244184.tif 000004
【図３】
2004244184.tif 000005
【図４】
2004244184.tif 000006
【図５】
2004244184.tif 000007
【図６】
2004244184.tif 000008
【図７】
2004244184.tif 000009
【図８】
2004244184.tif 000010